(57)【要約】【課題】  本発明は、不適切に通信ドレスが設定されたスイッチユニットを容易に発見し得る制御システムを提供する。【解決手段】  本発明に係る、照明機器５０１への通電を制御するリモコンリレー１３と、入力操作に応じて操作信号を送信するスイッチユニット１４と、一対の信号線から成る通信線５０６でスイッチユニット１４と通信可能に接続されると共にリモコンリレー１３が着脱可能に接続され、スイッチユニット１４から操作信号を受信した場合に該操作信号に含まれるスイッチユニットの通信アドレスに基づいてリモコンリレー１４を駆動することで照明機器５０１の通電を制御する監視制御装置１１とを備える監視制御システム１において、スイッチユニット１４は、自機に設定された通信アドレスが不適切である場合にその旨を監視制御装置１１に送信すると共に監視制御装置１１から受信した制御信号に応じて通信アドレスの設定が不適切であることを表示する。【選択図】      図１
2006254152.tif 000002
【特許請求の範囲】
【請求項１】
負荷機器への通電をオンオフするリレーと、入力操作に応じて操作信号を送信する操作端末器と、一対の信号線から成る通信線で１又は複数の前記操作端末器と通信可能に接続されると共に１又は複数の前記リレーが着脱可能に接続され、前記操作端末器から前記操作信号を前記通信線を介して受信した場合に該操作信号に含まれる前記操作端末器の通信アドレスに基づいて前記リレーを駆動することにより前記負荷機器の通電を制御する制御装置とを備える制御システムにおいて、
前記操作端末器は、自機に設定された通信アドレスが不適切である場合に前記通信アドレスの設定が不適切であることを前記制御装置に前記通信線を介して送信すると共に、前記制御装置から前記通信線を介して受信した制御信号に応じて前記通信アドレスの設定が不適切であることを表示すること
を特徴とする制御システム。
【請求項２】
負荷機器への通電をオンオフするリレーと、入力操作に応じて操作信号を送信する操作端末器と、一対の信号線から成る通信線で１又は複数の前記操作端末器と通信可能に接続されると共に１又は複数の前記リレーが着脱可能に接続され、前記操作端末器の通信アドレスと前記リレーを駆動する駆動部のアドレスとを対応付ける対応関係を記憶し、前記操作端末器から前記操作信号を前記通信線を介して受信した場合に、該操作信号に含まれる前記操作端末器の通信アドレスに基づいて前記対応関係から前記駆動部のアドレスを検索し、該検索したアドレスを持つ駆動部で前記リレーを駆動することによって前記負荷機器の通電を制御する制御装置とを備える制御システムにおいて、
前記操作端末器は、通信アドレスを割り当てた接点を含む複数の接点から成る多接点スイッチと、前記通信アドレスの設定が不適切であることを表示する異常設定表示部と、前記通信アドレスを割り当てていない接点に前記多接点スイッチが切替えられている場合に前記通信アドレスの設定が不適切であることを前記制御装置に前記通信線を介して送信すると共に、前記制御装置から前記通信線を介して受信した制御信号に応じて前記異常設定表示部に前記通信アドレスの設定が不適切であることを表示する操作端末器制御部とを備え、
前記制御装置は、前記操作端末器から前記通信線を介して前記通信アドレスの設定が不適切であることを受信した場合に、前記異常設定表示部に前記通信アドレスの設定が不適切であることを表示させる制御信号を前記通信線を介して前記操作端末器に送信する制御装置制御部とを備えること
を特徴とする制御システム。
【請求項３】
前記制御装置は、前記駆動部のアドレスを設定する設定部を備えること
を特徴とする請求項２に記載の制御システム。
【発明の詳細な説明】
【技術分野】
【０００１】
本発明は、照明機器等の負荷機器を制御する制御システムに関する。
【背景技術】
【０００２】
例えば照明機器等の負荷機器をオンオフ制御する場合、分電盤から負荷機器までの間の電力線に片切りスイッチ等のスイッチを設けることによってオンオフ制御することが可能である。しかしながら、負荷機器の個数が多くなると、電力線を多数引き回す必要があり、施工性及び保守管理性等が悪くなる。また、複数の照明機器を１つのグループに纏めてオンオフ制御するグループ制御や、グループ単位で所定のパターンで制御するパターン制御等の制御を行うことに対しても好ましくない。そのため、分電盤と負荷機器との間に、リレーと、監視制御子機と、監視制御親機と、操作スイッチとを設けた監視制御システムが開発されており、例えば、非特許文献１に開示されている。
【０００３】
図７は、非特許文献１に係る照明監視制御システムの構成を示すブロック図である。図７において、この照明監視制御システム５００は、負荷機器の一例である１又は複数の照明機器５０１と、照明機器５０１に対応して設けられたリモコンリレー５０２と、１又は複数のターミナルユニット（以下、「Ｔ／Ｕ」と略記する。）５０３と、伝送ユニット５０４と、スイッチユニット５０５とを備えて構成され、Ｔ／Ｕ５０３と伝送ユニット５０４とスイッチユニット５０５とは、一対の信号線から成る共通な通信線５０６によって互いに通信可能に接続されている。図７に示す例では、８個の照明機器５０１−１〜５０１−８が示されており、これに応じて８個のリモコンリレー５０２−１〜５０２−８が備えられている。ここで、本明細書において、総称する場合には添え字を省略した参照符号で示し、個別の構成を指す場合には添え字を付した参照符号で示す。
【０００４】
リモコンリレー５０２は、Ｔ／Ｕ５０３の制御によって電力線から照明機器５０１へ供給される電力をオンオフすると共に、そのオンオフの動作状態（オンオフ状態）を照明機器５０１の点消灯の動作状態（点消灯状態）としてＴ／Ｕ５０３へ出力するリレーである。
【０００５】
Ｔ／Ｕ５０３は、通信線５０６を介して伝送ユニット５０４から受信した信号に応じてリモコンリレー５０２を個別にオンオフ制御すると共にリモコンリレー５０２のオンオフ状態（言い換えれば、照明機器５０１の点消灯状態）を通信線５０６を介して伝送ユニット５０４に送信する監視制御子機である。Ｔ／Ｕ５０３は、１又は複数のリモコンリレー５０２を駆動可能に構成されており、図７に示す例では、１個のＴ／Ｕ５０３が４個のリモコンリレー５０４を駆動可能であることから、この照明監視制御システム５００は、リモコンリレー５０１−１〜５０１−４を駆動するＴ／Ｕ５０３−１と、リモコンリレー５０１−５〜５０１−８を駆動するＴ／Ｕ５０３−２とを備えている。
【０００６】
スイッチユニット５０５は、操作者によって操作（オンオフ操作）等が行われると共に照明機器５０１の点消灯状態を表示する操作表示端末であり、例えば、操作者の操作を受付ける１又は複数（図７では８個）のスイッチＳＷ（ＳＷ−１〜ＳＷ−８）と、スイッチＳＷに近接して設けられ、点消灯状態を表示する例えば発光ダイオード等の発光素子を備える表示部ＤＳ（ＤＳ−１〜ＤＳ−８）とを備えて構成される。そして、各スイッチＳＷには、スイッチＳＷのアドレス（スイッチアドレス）がそれぞれ割り付けられており、スイッチＳＷが操作されると当該操作が為された旨の通知（スイッチ状態）及び自機のアドレスとを含む信号を通信線５０６を介して伝送ユニット５０４に送信するようにされており、各スイッチＳＷによって、各照明機器５０１を個別に制御したり、グループ制御したり、パターン制御したりというような多様な制御が可能になっている。
【０００７】
伝送ユニット５０４は、スイッチユニット５０５から通信線５０６を介して送信された信号に応じてＴ／Ｕ５０３及びリモコンリレー５０２を介して照明機器５０１の通電を制御すると共に照明機器５０１のオンオフ状態を監視する監視制御親機である。伝送ユニット５０４は、スイッチユニット５０５の各スイッチＳＷのスイッチアドレスと、各照明機器５０１に割り付けられた照明機器５０１のアドレス（負荷アドレス）とを対応付ける対応テーブル、及び、リモコンリレー５０２のオンオフ状態（照明機器５０１の点消灯状態）を示す動作状態テーブルを記憶している。スイッチユニット５０５のスイッチＳＷが操作者によって操作され当該スイッチＳＷのスイッチアドレスを含む信号を受信すると、伝送ユニット５０４は、スイッチアドレスに基づいて対応テーブルから制御対象の１又は複数の照明機器５０１を検索し、この検索した照明機器５０１の現在の動作状態を動作状態テーブルから検索し、そして、この照明機器５０１を現在の動作状態とは逆の動作状態となるようにこの照明機器５０１に対応するリモコンリレー５０２をオンオフ制御することによって照明機器５０１の通電を制御する。
【０００８】
負荷アドレスは、例えば、Ｔ／Ｕ５０３に割り当てられた番号（負荷チャンネル）と、リモコンリレー５０２を接続するＴ／Ｕ５０３の接続端子（接続ポート）に割り当てられた番号（負荷ナンバー）とから構成されている。例えば、Ｔ／Ｕ５０３−１の負荷チャンネルが「００」で照明機器５０１−１の通電を制御するリモコンリレー５０１−１が接続される接続端子の負荷ナンバーが「０１」にされている場合には、照明機器５０１−１の負荷アドレスは、「０００１」である。
【０００９】
通信線５０６を伝送する上記信号について説明すると、伝送ユニット５０４からＴ／Ｕ５０３及びスイッチユニット５０５へ送信される信号は、例えば、図８（Ａ）に示すように、信号送出開始を示すスタートパルス信号ＳＴと、信号モードを示すモードデータ信号ＭＤと、各Ｔ／Ｕ５０３及びスイッチユニット５０５を呼出す８ビットのアドレスデータ信号ＡＤと、負荷機器を制御するための制御データ信号ＣＤと、誤り制御のためのチェックサムデータ信号ＣＳと、Ｔ／Ｕ５０３及びスイッチユニット５０５からの返信待機信号ＷＴとを備えて構成されている±２４Ｖの交流の時分割多重信号であり、パルス幅変調によってデータが伝送されるようになっている。
【００１０】
一方、各Ｔ／Ｕ５０３およびスイッチユニット５０５では、通信線５０６を介して伝送された上記信号のアドレスデータ信号ＡＤと自機に予め設定されているアドレスとを比較し、一致する場合にその信号の制御データ信号ＣＤを取込むと共に、返送待機信号ＷＴの期間に、スイッチ状態、監視データ、負荷動作確認データなどの監視データ信号を、通信線５０６間に低抵抗を接続して得られる電流モードの信号で返信する。このような動作を、予め定める周期毎に各スイッチユニット５０５及びＴ／Ｕ５０３に対して行っている。また、スイッチユニット５０５やＴ／Ｕ５０３から送信すべきデータが生じると、スイッチユニット５０５やＴ／Ｕ５０３は、図８（ｂ）で示すように、スタートパルス信号ＳＴに同期した割り込み信号Ｖｉを伝送ユニット５０４に送信する。伝送ユニット５０４では、この割込み信号Ｖｉを受信すると、モードデータ信号ＭＤをアドレス確認モードに設定した信号を通信線５０６に送信することにより、この割り込み信号Ｖｉを発生させた端末（スイッチユニット５０５やＴ／Ｕ５０３）を検出してアクセスし、監視データ信号を返信させる。
【００１１】
このような通信を行うためには、上述したようにスイッチユニット５０５の各スイッチＳＷ−１〜ＳＷ−８に通信アドレスとしてのスイッチアドレスをそれぞれ割り付ける必要があるが、この割付けには、専用の設定ツール６０１（図７参照）を用いていた。この設定ツール６０１は、例えば、ＬＣＤ等の表示部６１１と、スイッチアドレス等を入力する入力部６１２と、光信号を送受信する光信号送受信部６１３と、これらを当該機能に応じて制御する例えばマイクロコンピュータ等の制御部とを備えて構成され、設定ツール６０１の光信号送受信部６１３をスイッチユニット５０５に設けられた光信号送受信部Ｗに近接させ、入力部６１２から入力されたスイッチアドレスを含む光信号をスイッチユニット５０５に送信することによってスイッチアドレスをスイッチユニット５０５の記憶部に記憶させて各スイッチＳＷのスイッチアドレスを設定していた。
【００１２】
一方、同一の端末アドレスが複数の端末装置に設定されることを防止するために端末アドレス情報を表示するものとして、特許文献１には、制御装置と、この制御装置に宅内バスラインを介して接続され、かつそれぞれに固有の端末アドレス情報が予め設定される複数の端末装置とから成り、前記制御装置による端末装置相互間の情報交換経路の選択を前記端末アドレス情報に基づいて行う宅内機器制御システムであって、前記各端末装置に設定された端末アドレス情報を表示する表示器を前記制御装置または少なくとも１つの端末装置に設けた宅内機器制御システムについて開示されている。
【非特許文献１】「多重伝送  フル２線式リモコン」、松下電工株式会社、２００４年５月、ＷＷＣＴ１Ｂ１８６、ｐ１６、ｐ４７、ｐ４８
【特許文献１】特開平４−１５６０９９号公報
【発明の開示】
【発明が解決しようとする課題】
【００１３】
ところで、スイッチユニットの各スイッチＳＷにスイッチアドレスを簡易に設定可能とするために、ディップスイッチやロータリスイッチ等の多接点スイッチをスイッチユニットに設けてスイッチアドレスを設定するように構成しようとすると、スイッチの接点数がスイッチアドレスの設定可能数より多い場合には、設定することができないスイッチアドレス値にスイッチアドレスが設定されてしまうという不都合が生じる。仮にこの不適切なスイッチアドレス値にスイッチアドレスが設定されてしまうと、スイッチユニットのスイッチＳＷを操作したとしても背景技術に係る監視制御システムは、何も動作しないため、施工者等のユーザは、不適切なスイッチアドレスが設定されたスイッチユニットを発見し難い。
【００１４】
本発明は、上述の事情に鑑みて為された発明であり、不適切に通信アドレスが設定されたスイッチユニットを容易に発見することができる制御システムを提供することを目的とする。
【課題を解決するための手段】
【００１５】
上述の目的を達成するために、本発明の一態様に係る、負荷機器への通電をオンオフするリレーと、入力操作に応じて操作信号を送信する操作端末器と、一対の信号線から成る通信線で１又は複数の前記操作端末器と通信可能に接続されると共に１又は複数の前記リレーが着脱可能に接続され、前記操作端末器から前記操作信号を前記通信線を介して受信した場合に該操作信号に含まれる前記操作端末器の通信アドレスに基づいて前記リレーを駆動することにより前記負荷機器の通電を制御する制御装置とを備える制御システムにおいて、前記操作端末器は、自機に設定された通信アドレスが不適切である場合に前記通信アドレスの設定が不適切であることを前記制御装置に前記通信線を介して送信すると共に、前記制御装置から前記通信線を介して受信した制御信号に応じて前記通信アドレスの設定が不適切であることを表示することを特徴とする。
【００１６】
そして、本発明の他の一態様に係る、負荷機器への通電をオンオフするリレーと、入力操作に応じて操作信号を送信する操作端末器と、一対の信号線から成る通信線で１又は複数の前記操作端末器と通信可能に接続されると共に１又は複数の前記リレーが着脱可能に接続され、前記操作端末器の通信アドレスと前記リレーを駆動する駆動部のアドレスとを対応付ける対応関係を記憶し、前記操作端末器から前記操作信号を前記通信線を介して受信した場合に、該操作信号に含まれる前記操作端末器の通信アドレスに基づいて前記対応関係から前記駆動部のアドレスを検索し、該検索したアドレスを持つ駆動部で前記リレーを駆動することによって前記負荷機器の通電を制御する制御装置とを備える制御システムにおいて、前記操作端末器は、通信アドレスを割り当てた接点を含む複数の接点から成る多接点スイッチと、前記通信アドレスの設定が不適切であることを表示する異常設定表示部と、前記通信アドレスを割り当てていない接点に前記多接点スイッチが切替えられている場合に前記通信アドレスの設定が不適切であることを前記制御装置に前記通信線を介して送信すると共に、前記制御装置から前記通信線を介して受信した制御信号に応じて前記異常設定表示部に前記通信アドレスの設定が不適切であることを表示する操作端末器制御部とを備え、
前記制御装置は、前記操作端末器から前記通信線を介して前記通信アドレスの設定が不適切であることを受信した場合に、前記異常設定表示部に前記通信アドレスの設定が不適切であることを表示させる制御信号を前記通信線を介して前記操作端末器に送信する制御装置制御部とを備えることを特徴とする。
【００１７】
また、上述の制御システムにおいて、前記制御装置は、前記駆動部のアドレスを設定する設定部を備えることを特徴とする。
【発明の効果】
【００１８】
このような構成の制御システムは、操作端末器が、自機に設定された通信アドレスが不適切である場合に通信アドレスの設定が不適切であることを制御装置に通信線を介して送信すると共に、制御装置から通信線を介して受信した制御信号に応じて通信アドレスの設定が不適切であることを表示するので、施工者等のユーザは、不適切に設定されたスイッチユニットを容易に発見することができる。
【発明を実施するための最良の形態】
【００１９】
以下、本発明に係る実施形態を図面に基づいて説明する。なお、各図において同一の符号を付した構成は、同一の構成であることを示し、その説明を省略する。
（実施形態の構成）
図１は、実施形態に係る監視制御システムの構成を示す図である。図２は、実施形態に係る監視制御システムに用いられる監視制御装置の電気的な構成を示すブロック図である。図３は、各テーブルの構成を示す図である。図３（Ａ）は、アドレス対応テーブルを示し、図３（Ｂ）は、制御情報テーブルを示す。図４は、実施形態に係る監視制御システムに用いられる監視制御装置の外観斜視図である。図５は、実施形態に係る監視制御システムに用いられるスイッチユニットを示す図である。図５（Ａ）は、スイッチユニットの概観を示し、図５（Ｂ）は、スイッチユニットの電気的な構成を示す。
【００２０】
図１において、監視制御システム１は、制御装置の一例である監視制御装置１１と、増設ユニット１２と、リレーの一例である１又は複数のリモコンリレー１３と、負荷機器の一例である１又は複数の照明機器５０１と、操作端末器の一例であるスイッチユニット１４とを備えて構成され、監視制御装置１１と増設ユニット１２とスイッチユニット１４とは、一対の信号線から成る通信線５０６によって互いに通信可能に接続されている。この図１に示す例では、１６個の照明機器５０１−１〜５０１−１６が監視制御システム１に備えられている。監視制御装置１１は、８個のリモコンリレー１３が装着可能であり、増設ユニット１２は、４個のリモコンリレー１３が装着可能である。そのため、照明機器５０１の個数に応じて本実施形態では２個の増設ユニット１２−１、１２−２が監視制御装置１１に増設されており、そして、８個のリモコンリレー１３−１〜１３−８が監視制御装置１１に装着され、４個のリモコンリレー１３−９〜１３−１２が増設ユニット１２−１に装着され、４個のリモコンリレー１３−１３〜１３−１６が増設ユニット１２−２に装着されている。また、２個のスイッチユニット１４−１、１４−２が監視制御システム１に備えられている。なお、この実施形態において、背景技術に係る構成と同様の構成は、同一の符号を付しており、その説明を省略する。
【００２１】
監視制御装置１１は、スイッチユニット１４から通信線５０６を介して送信されたスイッチ６７１の監視データ信号に応じてリモコンリレー１３を個別にオンオフ制御することによりリモコンリレー１３を介して照明機器５０１の通電を制御すると共に、リモコンリレー１３のオンオフの動作状態（オンオフ状態）（言い換えれば、照明機器５０１の点消灯の動作状態（点消灯状態））を個別に監視する装置である。監視制御装置１１は、言わば、少なくとも背景技術に係る伝送ユニット５０４の機能とＴ／Ｕ５０３の機能とを兼ね備えた装置となっている。そのため、背景技術に係る伝送ユニット５０４及びＴ／Ｕ５０３を用いた監視制御システム５００よりも本発明に係る監視制御装置１１を用いた監視制御システム１の方が設置面積を要せず設置場所の自由度が向上している。また、伝送ユニット５０４とＴ／Ｕ５０３との間の通信線５０６や伝送ユニット５０４及びＴ／Ｕ５０３への個別の電力線を配線する必要がないので、本発明に係る監視制御システム１の方がより簡単に施工することができ、また、配線ミスも抑制される等の施工性が向上している。
【００２２】
このような監視制御装置１１の電気的な構成は、例えば、図２に示すように、受電端子部２１と、電源部２２と、電圧検出部２３と、リレー制御用電源部２４と、送受信部２５と、通信端子部２６と、１又は複数のリレー処理部２７と、制御部２８とを備えて構成される。
【００２３】
受電端子部２１は、電力の供給を受けるべく、電力線を接続するための端子であり、３個の端子２１−１〜２１−３を備えて構成される。電源部２２は、不図示の電源スイッチのオンオフに応じて受電端子部２１から電圧の供給を受け、この受電端子部２１を介して供給された電圧を整流及び降圧することによって５Ｖや２４Ｖ等の予め定める低電圧に安定化させて、リレー制御用電源部２４、送受信部２５及び制御部２８等の監視制御装置１１における電力を必要とする各部に供給する回路である。電圧検出部２３は、電源部２２から制御部２８へ供給される電圧値を検出しその検出値を制御部２８に出力する回路である。リレー制御用電源部２４は、電源部２２から供給された電圧をリモコンリレー１３を制御するために必要な電圧値に安定化させてリレー処理部２７を介してリモコンリレー１３に供給する回路である。通信端子部２６は、通信線５０６における一対の信号線を接続するための端子であり、２個の端子２６−１、２６−２を備える。
【００２４】
送受信部２５は、通信線５０６を介して増設ユニット１２及びスイッチユニット１４と通信を行う回路であり、制御部２８からのデータに基づいて本監視制御システム１の通信プロトコルに従った信号を生成して通信線５０６へ送出すると共に通信線５０６からの信号を制御部２８が処理可能な形式のデータに変換する。
【００２５】
監視制御装置１１、増設ユニット１２及びスイッチユニット５０５の間の通信における上記信号は、図８に示す背景技術の信号と同様である。即ち、監視制御装置１１からスイッチユニット１４へ送信される信号は、図８（Ａ）に示すように、スタートパルス信号ＳＴと、モードデータ信号ＭＤと、アドレスデータ信号ＡＤと、制御データ信号ＣＤと、チェックサムデータ信号ＣＳと、スイッチユニット１４からの返信待機信号ＷＴとを備えて構成されている±２４Ｖの交流の時分割多重信号であり、パルス幅変調によってデータが伝送されるようになっている。一方、各増設ユニット１２及び各スイッチユニット１４では、通信線５０６を介して伝送された上記信号のアドレスデータ信号ＡＤと自機に予め設定されているアドレスとを比較し、一致する場合にその信号の制御データ信号ＣＤを取込むと共に、返送待機信号ＷＴの期間に、スイッチ状態、監視データ、負荷動作確認データなどの監視データ信号を、通信線５０６間に低抵抗を接続して得られる電流モードの信号で返信する。送受信部２５は、制御部２８の制御に基づいてこのような動作を、予め定める周期毎に各増設ユニット１２及び各スイッチユニット１４に対して行っており、また、増設ユニット１２及びスイッチユニット１４から送信すべきデータが生じると、増設ユニット１２及びスイッチユニット１４は、図８（ｂ）で示すように、スタートパルス信号ＳＴに同期した割り込み信号Ｖｉを監視制御装置１１に送信する。監視制御装置１１では、この割込み信号Ｖｉを受信すると、モードデータ信号ＭＤをアドレス確認モードに設定した信号を通信線５０６に送信することにより、この割り込み信号Ｖｉを発生させた増設ユニット１２及びスイッチユニット１４を検出してアクセスし、監視データ信号を返信させる。
【００２６】
リレー処理部２７は、リモコンリレー１３が接続され、制御部２８の制御に基づきリモコンリレー１３をオンオフ駆動し、リモコンリレー１３のオンオフ状態（言い換えれば、照明機器５０１の点消灯状態）を検出して制御部２８に通知する。そして、リレー処理部２７は、リレー処理部２７を特定し識別するための番号（回路番号）を設定しこの設定された回路番号を制御部２８に出力する回路番号設定部３１を備える。このような回路番号設定部３１は、例えば本実施形態ではディップスイッチ３１１（図４参照）及びその周辺回路を備えて構成されるが、例えばロータリスイッチ等の多接点スイッチでもよい。リレー処理部２７の個数は、任意であり、監視制御装置１１の仕様により決定される。本実施形態の監視制御装置１１は、その仕様により４８個のリモコンリレー１３を個別に制御可能としてあり、そのうち８個のリモコンリレー１３を直接取り扱い可能にするために、８個のリレー処理部２７−１〜２７−８を備えている。このため、回路番号設定部３１は、８通りの出力パターンが必要であり、３ビットのディップスイッチが採用される。
【００２７】
なお、残余の４０個のリモコンリレー１３は、増設ユニット１２を介して個別に制御可能とされている。そして、図２には、リレー処理部２７−１の構成のみが示され、リレー処理部２７−２〜２７−８の構成は、リレー処理部２７−１の構成と同一なので、省略されている。また、リレー処理部２７、回路番号設定部３１及び回路番号は、それぞれ請求項の駆動部、設定部及び駆動部のアドレスの一例である。
【００２８】
制御部２８は、例えばマイクロコンピュータ及びその周辺回路を備えて構成され、監視制御装置１１における各部の当該機能に応じた制御を司るもので、スイッチユニット１４から通信線５０６を介して送信されたスイッチ６７１の操作通知の信号に応じてリレー処理部２７によってリモコンリレー１３を個別にオンオフ駆動することで照明機器５０１の通電を制御すると共に、リレー処理部２７によってリモコンリレー１３のオンオフ状態を個別に監視する回路である。そして、制御部２８は、スイッチユニット１４に不適切に設定されたスイッチアドレスを監視すると共に、不適切なスイッチアドレスが設定されている場合に不適切なスイッチアドレスが設定された旨の表示をそのスイッチユニット１４に行わせる。制御部２８は、請求項の制御装置制御部の一例であり、例えば、中央処理部（以下、「ＣＰＵ」と略記する。）４２と、記憶部３３と、これらの周辺回路とを備えて構成される。
【００２９】
ＣＰＵ４１は、例えば、マイクロプロセッサ及びその周辺回路等を備えて構成され、機能的に、リレー処理部２７によってリモコンリレー１３の監視及び制御を行うリレー制御処理部３２１と、スイッチユニット１４に不適切なスイッチアドレスが設定された場合における後述の処理を行う異常設定アドレス処理部３２２と、制御プログラムに従って監視制御装置１１の各部及び記憶部３３の制御を当該機能に応じて行うシステム処理部３２３とを備える。
【００３０】
記憶部３３は、機能的にアドレス情報を記憶するアドレス情報記憶部３３１と、制御情報を記憶する制御情報記憶部３３２とを備え、リモコンリレー１３の制御を行うリモコンリレー制御プログラムや、スイッチユニット１４に不適切なスイッチアドレスが設定された場合における処理を行う異常設定アドレス処理プログラム等の各種プログラム、及び、各種プログラムの実行に必要なデータやその実行中に生じるデータ等の各種データを記憶する。記憶部３３は、例えば、ＣＰＵ４１の所謂ワーキングメモリとなるＲＡＭ（Random Access Memory）等の揮発性の記憶素子や、ＥＥＰＲＯＭ（Electrically Erasable Programmable Read Only Memory）等の書換え可能な不揮発性の記憶素子や、ＲＯＭ（Read Only Memory）等の不揮発性の記憶素子を備えて構成される。
【００３１】
アドレス情報は、各照明機器５０１に割り付けられた照明機器５０１のアドレス（負荷アドレス）とスイッチユニット１４の各スイッチ６７１のスイッチアドレスとを対応付ける情報であり、負荷アドレスごとに生成される。アドレス情報は、例えば図３（Ａ）に示すように、負荷アドレスを登録する負荷アドレスフィールド４１１とスイッチアドレスを登録するスイッチアドレスフィールド４１２との各フィールドを備え、負荷アドレスごとにレコードが生成されるアドレス対応テーブル４１で表される。本実施形態の負荷アドレスについては後述する。アドレス情報は、照明機器５０１の負荷アドレスが負荷アドレスフィールド４１１に登録され、この負荷アドレスフィールド４１１に対応するスイッチアドレスフィールド４１２にこの照明機器５０１を点消灯するスイッチ６７１のスイッチアドレスが登録されることによってアドレス情報記憶部３３１に記憶される。なお、スイッチアドレスは、請求項における操作端末器の通信アドレスの一例である。
【００３２】
制御情報は、負荷アドレスと当該負荷アドレスの照明機器５０１における制御目標とを対応付ける情報であり、負荷アドレスごとに生成される。制御情報は、例えば図３（Ｂ）に示すように、負荷アドレスを登録する負荷アドレスフィールド４２１と制御目標を登録する制御目標フィールド４２２との各フィールドを備え、負荷アドレスごとにレコードが生成される制御情報テーブル４２で表される。制御情報は、照明機器５０１の負荷アドレスが負荷アドレスフィールド４２１に登録され、この負荷アドレスフィールド４２１に対応する制御目標フィールド４２２にこの照明機器５０１の制御目標が登録されることによって制御情報記憶部３３２に記憶される。
【００３３】
また、このような監視制御装置１１の外観は、図４に示すように、上記受電端子部２１の各端子２１−１〜２１−３及び通信端子部２６の各端子２６−１、２６−２を外部に露出すると共に電源部２２、電圧検出部２３、リレー制御用電源部２４、送受信部２５及び制御部２８を配設した基板を内蔵する略直方体形状の本体Ａが矩形の底板Ｃの一方辺に形成されている。この本体Ａの一方端には、その上面から側面に絶縁壁Ｇ−１〜Ｇ−４が形成されており、絶縁壁Ｇ−１〜Ｇ−４の各間Ｈ−１〜Ｈ−３には受電端子部２１の各端子２１−１〜２１−３がそれぞれ設けられている。また、本体Ａの他方端には、その上面Ｊに通信端子部２６の各端子２６−１、２６−２が設けられている。
【００３４】
そして、リモコンリレー１３と電気的に接続するためにリレー処理部２７に設けられる各端子２７１−１を外部に露出すると共にリレー処理部２７を配設した基板を内蔵する横長の略直方体形状のリレー接続部Ｂが本体Ａの他方端から底板Ｃの一方側辺に沿って形成されている。リレー接続部Ｂの内側側面には、リレー処理部２７の端子２７１が設けられた凹部Ｅがこの監視制御装置１１に接続可能なリモコンリレー１３の個数分（図４では凹部Ｅ−１〜Ｅ−８の８個）だけ形成されている。そして、リレー接続部Ｂの上面には、回路番号設定部３１のディップスイッチ３１１がそのスイッチ操作が可能なようにリレー処理部２７の個数分（図４ではディップスイッチ３１１−１〜３１１−８の８個）だけ設けられている。
【００３５】
底板Ｃの本体Ａに対向する他方辺及びリレー接続部Ｂに対向する他方側辺は、低高な壁Ｋ１、Ｋ２がそれぞれ垂直上方に立設されている。そして、壁Ｋ２には、スリット状の係合孔Ｆがこの監視制御装置１１に接続可能なリモコンリレー１３の個数分（図４では係合孔Ｆ−１〜Ｆ−８の８個）だけ形成されている。
【００３６】
図１に戻って、増設ユニット１２は、監視制御装置１１で本実施形態では９個以上の照明機器５０１の点消灯を制御する場合に当該照明機器５０１の通電を制御するリモコンリレー１３を増設するための監視制御子機であり、通信線５０６を介して監視制御装置１１から受信した信号に応じてリモコンリレー１３を個別にオンオフ制御すると共にリモコンリレー１３のオンオフ状態を通信線５０６を介して監視制御装置１１に送信する。増設ユニット１２は、例えば、監視制御装置１１と係合するための係合部と、監視制御装置１１から各種駆動電源を受けるためのユニット電源端子部と、通信線５０６を接続するためのユニット通信端子部５１と、通信線５０６を介して監視制御装置１１と通信を行うユニット送受信部と、監視制御装置１１の信号に応じてリモコンリレー１３を個別にオンオフ駆動することで照明機器５０１の通電を制御すると共に、リモコンリレー１３のオンオフ状態を個別に監視して監視結果を監視制御装置１１に通知するユニット制御部と、リモコンリレー１３が接続されユニット制御部の制御に基づきリモコンリレー１３をオンオフ駆動しリモコンリレー１３のオンオフ状態を検出してユニット制御部に通知するユニットリレー処理部と、ユニットセレクタ部とを備えて構成される。
【００３７】
ユニットセレクタ部は、増設ユニット１２におけるユニットリレー処理部に割り当てられる回路番号の範囲を設定するための回路であり、例えば、ロータリスイッチ等の多接点スイッチから成る増設ユニットセレクタスイッチ５２及びその周辺回路によって構成される。本実施形態では、監視制御装置１１が４８個のリモコンリレー１３を制御可能であり、そのうち８個が監視制御装置１１によって直接取り扱われ、残余の４０個のリモコンリレー１３が増設ユニット１２によって取り扱われ、そして、増設ユニット１２は、４個のリモコンリレー１３を取り扱い可能とされている。そのため、増設ユニット１２のユニットリレー処理部に割り当てられる回路番号は、「９〜１２」、「１３〜１６」、「１７〜２０」、「２１〜２４」、「２５〜２８」、「２９〜３２」、「３３〜３６」、「３７〜４０」、「４１〜４４」及び「４５〜４８」の何れかであり、増設ユニットセレクタスイッチ５２は、この何れかを選択して設定することができるように、１０接点のロータリスイッチが用いられている。
【００３８】
そして、増設ユニットセレクタスイッチ５２でユニットリレー処理部に割り当てられる回路番号の範囲が設定されると、設定された範囲の先頭から回路番号が４個のユニットリレー処理部に順に割り当てられる。例えば、増設ユニット１２−２の増設ユニットセレクタスイッチ５２−２で「９〜１２」が設定されると、リモコンリレー１３−１３が接続するユニットリレー処理部に回路番号「９」が割り当てられ、リモコンリレー１３−１４が接続するユニットリレー処理部に回路番号１０」が割り当てられ、リモコンリレー１３−１５が接続するユニットリレー処理部に回路番号「１１」が割り当てられ、そして、リモコンリレー１３−１６が接続するユニットリレー処理部に回路番号「１２」が割り当てられるというように、設定された範囲の先頭から回路番号が４個のユニットリレー処理部に順に割り当てられる。
【００３９】
ここで、負荷アドレスについて説明すると、負荷アドレスは、本実施形態では、リレー処理部２７及びユニットリレー処理部に設定される回路番号であり、照明機器５０１が監視制御装置１１に接続するリモコンリレー１３によって制御される場合にはリレー処理部２７の回路番号設定部３１によって設定される回路番号であり、照明機器５０１が増設ユニット１２に接続するリモコンリレー１３によって制御される場合には増設ユニットセレクタスイッチ５２によって設定されたユニットリレー処理部の回路番号である。
【００４０】
リモコンリレー１３は、監視制御装置１１や増設ユニット１２の制御によって電力線から照明機器５０１への通電をオンオフし、そのオンオフ状態を照明機器５０１の点消灯状態として監視制御装置１１や増設ユニット１２へ出力する。リモコンリレー１３は、例えば、監視制御装置１１や増設ユニット１２に電気的に接続する端子と、端子から入力された制御信号に応じて照明機器５０１への通電をオンオフするリレー回路と、リレーのオンオフ状態を端子に出力する回路と、監視制御装置１１や増設ユニット１２に係合するための係合爪とを備え、監視制御装置１１や増設ユニット１２に着脱可能に構成されている。
【００４１】
リモコンリレー１３は、監視制御装置１１に装着する場合、上記端子を監視制御装置１１のリレー処理部２７の各端子２７１（図４参照）に接続すると共に上記係合爪を監視制御装置１１の係合孔Ｆに係合させることで、監視制御装置１１に装着される。増設ユニットに対しても同様である。このため、監視制御装置１１とリモコンリレー１３との間及び増設ユニット１２とリモコンリレー１３との間の配線が不要であるので、本発明に係る監視制御システム１の方がより簡単に施工することができ、また、配線ミスも抑制される等の施工性が向上している。
【００４２】
スイッチユニット１４は、操作者によって操作（オンオフ操作）等が行われると共に照明機器５０１の点消灯状態やスイッチアドレスが不適切に設定された場合にその旨を表示する操作表示端末である。スイッチユニット１４は、例えば、図５（Ｂ）に示すように、スイッチ通信端子部６１と、スイッチ送受信部６２と、操作端末器制御部の一例であるスイッチ制御部６３と、異常設定表示部６４と、リセット回路６５と、状態表示部６６と、スイッチ部６７と、スイッチセレクタ部６８とを備えて構成される。
【００４３】
スイッチ通信端子部６１は、通信線５０６における一対の信号線を接続するための端子であり、そのため、２個の端子６１−１、６１−２を備えて構成される。スイッチ送受信部６２は、通信線５０６を介して監視制御装置１１と通信を行う回路であり、スイッチ制御部６３からのデータに基づいて上述した信号を生成して通信線５０６へ送出すると共に通信線５０６からの信号をスイッチ制御部６３が処理可能な形式のデータに変換する。リセット回路６５は、システム起動時等にスイッチ制御部６３をリセットする。
【００４４】
異常設定表示部６４は、スイッチ制御部６３の制御に基づいて、スイッチアドレスが不適切に設定されていることを表示するための回路であり、例えば、発光ダイオード等の発光素子６４１及びその周辺回路を備えて構成される。
【００４５】
状態表示部６６は、スイッチ制御部６３の制御に基づいて、点消灯状態を表示するための回路であり、例えば、スイッチ６７１の両側に近接してそれぞれ設けられた発光素子６６１、６６２（例えば発光ダイオード等）及びその周辺回路を備えて構成される。スイッチ部６７は、操作者の操作を受付ける回路であり、例えば、複数（図１及び図５（Ａ）では８個）の例えば押し釦スイッチやタクトスイッチ等のスイッチ６７１（６７１−１〜６７１−８）及びその周辺回路を備えて構成される。
【００４６】
スイッチセレクタ部６８は、スイッチユニット１４における各スイッチ６７１に割り当てられるスイッチアドレスを設定するための回路であり、スイッチアドレスを割り当てた接点を含む複数の接点から成る、例えばロータリスイッチ等の多接点スイッチから構成されるスイッチユニットセレクタスイッチ６８１及びその周辺回路を備えて構成される。本実施形態では、監視制御装置１１が４８個のリモコンリレー１３を制御可能であり、８個単位でスイッチアドレスの設定を可能としていることから、スイッチユニットセレクタスイッチ６８１の各接点には、「１〜８」、「９〜１６」、「１７〜２４」、「２５〜３２」、「３３〜４０」及び「４１〜４８」の８個単位でスイッチアドレスが割り付けられており、スイッチユニットセレクタスイッチ６８１は、この何れかを選択して設定することにより各スイッチ６７１にスイッチアドレスを設定することができるようにされている。即ち、スイッチセレクタ部６８でスイッチ６７１に割り当てるスイッチアドレスの範囲が選択されると、選択された範囲の先頭からスイッチアドレスが８個の各スイッチ６７１に順に割り当てられる。例えば、スイッチユニット１４−１のスイッチセレクタ部６８−１で「１〜８」が設定されると、上から順に、スイッチ６７１−１にスイッチアドレス「１」が割り当てられ、スイッチ６７１−２にスイッチアドレス「２」が割り当てられ、スイッチ６７１−３にスイッチアドレス「３」が割り当てられ、スイッチ６７１−４にスイッチアドレス「４」が割り当てられ、スイッチ６７１−５にスイッチアドレス「５」が割り当てられ、スイッチ６７１−６にスイッチアドレス「６」が割り当てられ、スイッチ６７１−７にスイッチアドレス「７」が割り当てられ、そして、スイッチ６７１−８にスイッチアドレス「８」が割り当てられるというように、設定された範囲の先頭からスイッチアドレスが８個のスイッチ６７１−１〜６７１−８に順に割り当てられる。
【００４７】
そして、スイッチアドレスが割り付けられていないスイッチユニットセレクタスイッチ６８１の各接点Ｓ１、Ｓ２、Ｓ３、Ｓ４には、不適切にスイッチアドレスが設定されている場合に用いる専用のスイッチアドレス（異常設定アドレス）が割り付けられ、この接点Ｓ１、Ｓ２、Ｓ３、Ｓ４が選択され設定されると各スイッチ６７１に異常設定アドレスを設定するようにされている。この異常設定アドレスは、１〜４８を除く値であり、例えば６４が用いられる。
【００４８】
また、スイッチユニットセレクタスイッチ６８１は、例えば、増設ユニット１２の増設ユニットセレクタスイッチ５２と部品の共用化を図る等ために、１０接点のロータリスイッチが用いられている。
【００４９】
ユニット制御部６３は、例えばＣＰＵやメモリ等を備えるマイクロコンピュータ及びその周辺回路を備えて構成され、スイッチユニット１４における各部の当該機能に応じた制御を司るもので、スイッチ６７１の操作に応じて監視制御装置１１と通信を行って照明機器５０１の点消灯を指示すると共に、スイッチ６７１の操作に応じて状態表示部６６の発光素子６６１、６６２を点消灯し、そして、スイッチアドレスを割り当てていない接点にスイッチユニットセレクタスイッチ６８１が切替えられている場合にスイッチアドレスの設定が不適切であることを監視制御装置１１に通信線５０６を介して送信すると共に、スイッチアドレスの設定が不適切であることを表示すべく、監視制御装置１１から通信線５０６を介して受信した制御信号に応じて異常設定表示部６４の発光素子６４１を点灯する。
【００５０】
次に、本実施形態の動作について説明する。
（実施形態の動作）
例えば施工者は、照明機器５０１、監視制御装置１１、増設ユニット１２、リモコンリレー１３、スイッチユニット１４及び通信線５０６を用いて監視制御システム１を配設する。
【００５１】
次に、スイッチアドレスを設定すべく、スイッチユニット１４−１におけるスイッチセレクタ部５８−１（不図示）のスイッチユニットセレクタスイッチ６８１−１（不図示）を用いてスイッチユニット１４−１のスイッチアドレスを例えば「１〜８」に設定し、スイッチユニット１４−２におけるスイッチセレクタ部５８−２（不図示）のスイッチユニットセレクタスイッチ６８１−２（不図示）を用いてスイッチユニット１４−２のスイッチアドレスを例えば「９〜１６」に設定する。そうすると、スイッチユニット１４−１におけるスイッチ６７１−１１〜６７１−１８にはスイッチアドレス「１」〜「８」がそれぞれ設定され、スイッチユニット１４−２におけるスイッチ６７１−２１〜６７１−２８にはスイッチアドレス「９」〜「１６」がそれぞれ設定される。
【００５２】
次に、監視制御装置１１の回路番号を設定すべく、リレー処理部２７−１〜２７−８の回路番号設定部３１−１〜３１−８におけるディップスイッチ３１１−１〜３１１−８を用いて回路番号を例えば順に「１」〜「８」を設定する。
【００５３】
次に、増設ユニット１２−１、１２−２の回路番号を設定すべく、増設ユニット１２−１の増設ユニットセレクタスイッチ５２−１を用いて回路番号を例えば「１３〜１６」に設定し、増設ユニット１２−２の増設ユニットセレクタスイッチ５２−２を用いて回路番号を例えば「９〜１２」に設定する。
【００５４】
このようにスイッチアドレス及び回路番号（負荷アドレス）が設定されると、例えば、照明機器５０１−１が消灯している場合にスイッチユニット１４−１のスイッチ６７１−１１が操作されると、スイッチユニット１４−１のスイッチ制御部６３−１（不図示）は、図８（ｂ）で示すように、スタートパルス信号ＳＴに同期した割り込み信号Ｖｉを監視制御装置１１に送信する。監視制御装置１１のリレー制御処理部３２１は、この割込み信号Ｖｉを受信すると、モードデータ信号ＭＤをアドレス確認モードに設定した信号を通信線５０６に送信することにより、この割り込み信号Ｖｉを発生させたスイッチユニット１４−１を検出してアクセスし、スイッチ状態を含む監視データ信号を返信させる。
【００５５】
そして、監視制御装置１１のリレー制御処理部３２１は、この監視データ信号に基づいて、アドレス対応テーブル４１からスイッチアドレス「１」に対応する制御対象の負荷アドレス「１」を検索する。監視制御装置１１のリレー制御処理部３２１は、この検索した負荷アドレス「１」の現在の制御目標（この例では「オフ」）を制御情報テーブル４２から検索する。監視制御装置１１のリレー制御処理部３２１は、この負荷アドレス「１」に対応する照明機器５０１−１を現在の点消灯状態とは逆の点消灯状態となるように負荷アドレス「１」に対応するリレー処理部２７−１をオンオフ制御（この例ではオン制御）することによってリモコンリレー１３−１をオンオフ（この例ではオン）する。そして、監視制御装置１１のリレー制御処理部３２１は、この新たな制御目標（この例ではオン）を制御目標テーブル４２に登録する。
【００５６】
これによってこの例では、リモコンリレー１３−１がオンされ、電力が照明機器５０１−１に供給され、照明機器５０１−１が点灯する。
【００５７】
ここで、施工の際に、照明機器５０１とリモコンリレー１３との配線が間違っており、スイッチユニット１４−１のスイッチ６７１−１１を操作した場合に、消灯している照明機器５０１−１ではなく照明機器５０１−２が点灯したとする。この場合には、施工者は、スイッチユニット１４−１のスイッチユニットセレクタスイッチ６８１−１が「１〜８」に設定されていることを確認した上で、例えば、照明機器５０１−１〜５０１−８を総て消灯する。そして、施工者は、スイッチユニット１４−１の各スイッチ６７１−１１〜６７１−１８を順に操作し、その場合に点灯する照明機器５０１−１〜５０１−８を確認し、確認結果と合うように回路番号を回路番号設定部３１−１〜３１−８のディップスイッチ３１１−１〜３１１−８を用いて再設定する。
【００５８】
このように本実施形態に係る監視制御装置１１は、回路番号設定部３１によってリレー処理部２７の回路番号をディップスイッチ３１１によって設定可能であるので、照明機器５０１とリモコンリレー１３との配線を間違って施工したとしても、配線を変更することなく容易に回路番号を変更し、照明機器５０１の負荷アドレスを変更することができる。
【００５９】
また、ここで、施工の際に、スイッチユニット１４のスイッチユニットセレクタスイッチ６８１を、スイッチアドレスを設定する接点を除く接点Ｓ１、Ｓ２、Ｓ３、Ｓ４の何れかの接点、例えば接点Ｓ４に設定してしまったとする。
【００６０】
この場合において、スイッチユニット１４の何れかのスイッチ６７１−１〜６７１−８、例えばスイッチ６７１−１を操作した場合には、図６（Ａ）に示すように、スイッチユニット１４のユニット制御部６３は、スイッチ６７１−１には異常設定アドレスが設定されているので、図８（ｂ）で示すように、スタートパルス信号ＳＴに同期した割り込み信号Ｖｉを監視制御装置１１に送信する（Ｓ１１）。
【００６１】
この割込み信号Ｖｉを受信すると、監視制御装置１１の異常設定アドレス処理部３２２は、モードデータ信号ＭＤをアドレス確認モードに設定した信号を通信線５０６に送信することにより、この割り込み信号Ｖｉを発生させたスイッチユニット１４を検出してアクセスする（Ｓ１２）。スイッチユニット１４のスイッチ制御部６３は、このアクセスに対し異常設定アドレスを用いて返信を行う（Ｓ１３）。
【００６２】
監視制御装置１１の異常設定アドレス処理部３２２は、この返信を受信すると、この返信に異常設定アドレスが含まれているので、まず、割り込み信号Ｖｉを送信したスイッチユニット１４のスイッチ制御部６３に割り込み信号Ｖｉの送信を解除（クリア）させる（Ｓ１４）。スイッチユニット１４のスイッチ制御部６３は、割り込み信号Ｖｉの送信を解除して、この解除に対する返信を行う（Ｓ１５）。
【００６３】
監視制御装置１１の異常設定アドレス処理部３２２は、この返信を受信すると、続けて、このスイッチユニット１４のスイッチ制御部６３にスイッチアドレスの異常設定の表示をさせる（Ｓ１６）。スイッチユニット１４のスイッチ制御部６３は、異常設定表示部６４の発光素子６４１を点灯し、不適切なスイッチアドレスが設定されている旨を表示する。
【００６４】
このように監視制御装置１１とスイッチユニット１４とが動作するので、スイッチユニット１４に不適切なスイッチアドレスが設定されていると、監視制御装置１１は、スイッチユニット１４から異常設定アドレスによって割り込みを受けるので、スイッチユニット１４に不適切なスイッチアドレスが設定されていることを検出することができる。そして、この検出結果を監視制御装置１１は、スイッチユニット１４に表示させるので、施工者等のユーザは、スイッチアドレスを不適切に設定してしまったスイッチユニットを容易に見つけ出すことができる。このため、監視制御システム１の不具合を容易に解消することができる。
【００６５】
一方、図６（Ｂ）に示すように、監視制御装置１１の異常設定アドレス処理部３２２は、所定の時間間隔で、スイッチアドレスに異常設定アドレスが設定されているスイッチユニット１４を検索するための信号を制御システム１に送信する（Ｓ２１）。スイッチユニット１４のスイッチ制御部６３は、この信号を受信すると、自機に異常設定アドレスがスイッチアドレスとして設定されているか否かを判定し、異常設定アドレスが設定されていると判断した場合には自機に不適切なスイッチアドレスが設定されている旨の応答を返信する（Ｓ２２）。
【００６６】
監視制御装置１１の異常設定アドレス処理部３２２は、この応答を受信すると、このスイッチユニット１４のスイッチ制御部６３にスイッチアドレスの異常設定の表示をさせる（Ｓ２３）。スイッチユニット１４のスイッチ制御部６３は、異常設定表示部６４の発光素子６４１を点灯し、不適切なスイッチアドレスが設定されている旨を表示する。
【００６７】
このように監視制御装置１１とスイッチユニット１４とが動作することにより、スイッチユニット１４に不適切なスイッチアドレスが設定されていると、スイッチユニット１４のスイッチ６７１が操作されない場合でも、監視制御装置１１は、スイッチユニット１４に不適切なスイッチアドレスが設定されていることを検出することができる。そして、この検出結果を監視制御装置１１は、スイッチユニット１４に表示させるので、施工者等のユーザは、スイッチアドレスを不適切に設定してしまったスイッチユニット１４を容易に見つけ出すことができる。このため、監視制御システム１の不具合を容易に解消することができる。
【００６８】
なお、上述の実施形態では、監視制御装置１１のリレー処理部２７に割り振られる回路番号を変更する回路番号設定部３１を設けたが、同様に、増設ユニット１２のユニットリレー処理部に割り振られる回路番号をユニットセレクタ部で設定された範囲内で変更するユニット回路番号設定部を設けてもよい。このようなユニット回路番号設定部は、増設ユニット１２が４個のユニットリレー処理部を備えることから、４通りの出力パターンが必要であり、２ビットのディップスイッチ及びその周辺回路を備えて構成される。例えば、ユニットセレクタ部で「１７〜２０」の範囲が設定され４個のユニットリレー処理部がユニット回路番号設定部によって「２」、「１」、「３」、「４」のように設定されたとすると、４個のユニットリレー処理部の回路番号は、「１８」、「１７」、「１９」、「２０」となる。
【図面の簡単な説明】
【００６９】
【図１】実施形態に係る監視制御システムの構成を示す図である。
【図２】実施形態に係る監視制御システムに用いられる監視制御装置の電気的な構成を示すブロック図である。
【図３】各テーブルの構成を示す図である。
【図４】実施形態に係る監視制御システムに用いられる監視制御装置の外観斜視図である。
【図５】実施形態に係る監視制御システムに用いられるスイッチユニットを示す図である。
【図６】不適切なスイッチアドレスがスイッチユニットに設定した場合における監視制御装置及びスイッチユニットの動作を示すシーケンス図である。
【図７】非特許文献１に係る照明監視制御システムの構成を示すブロック図である。
【図８】伝送ユニットとターミナルユニット及びスイッチユニットとの間で送受信される信号の波形図である。
【符号の説明】
【００７０】
１  監視制御システム
１１  監視制御装置
１２  増設ユニット
１３  リモコンリレー
１４  スイッチユニット
２５  送受信部
２６  通信端子部
２７  リレー処理部
２８  制御部
３１  回路番号設定部
３２  中央処理部
３３  記憶部
５２  増設ユニットセレクタスイッチ
６１  スイッチ通信端子部
６２  スイッチ送受信部
６３  スイッチ制御部
６４  異常設定表示部
６７  スイッチセレクタ部６７
３１１  ディップスイッチ
３２２  異常設定アドレス処理部
５０１  照明機器
５０６  通信線
６８１  スイッチユニットセレクタスイッチ
【図１】
2006254152.tif 000003
【図２】
2006254152.tif 000004
【図３】
2006254152.tif 000005
【図４】
2006254152.tif 000006
【図５】
2006254152.tif 000007
【図６】
2006254152.tif 000008
【図７】
2006254152.tif 000009
【図８】
2006254152.tif 000010